(57)【要約】フィルタ要素が提供されている。フィルタ要素は、外面を含むフィルタ媒体パックを含んでいる。外面は第１流れ面と第２流れ面の間を延びている。フィルタ要素は、更に、フィルタ媒体パックの外面へ塗工されたポリマー被覆を含んでおり、ポリマー被覆は成形構造物ではない。実施形態では、ポリマー被覆は、第１流れ面と第２流れ面の間のスパンの少なくとも２５％を覆っていて、０．００５インチ（０．１２７ｍｍ）から０．１００インチ（２．５４０ｍｍ）の間の平均厚さを有している。他の実施形態では、ポリマー被覆は外側把持面を提供するために少なくとも５０μｉｎ（１．２７μｍ）の表面粗さを有している。ポリマー被覆をフィルタ要素へ塗布するための方法及びシステムも提供されている。【選択図】図１
2019507008.tif 000002
【特許請求の範囲】
【請求項１】
第１流れ面と第２流れ面との間を延びている外面、を含んでいるフィルタ媒体パックと、
前記フィルタ媒体パックの前記外面に塗布されているポリマー被覆であって、成形構造物ではないポリマー被覆と、
を備えているフィルタ要素。
【請求項２】
前記ポリマー被覆は、約５０μｉｎ（１．２７μｍ）から約１０，０００μｉｎ（２５４．００μｍ）の間の表面粗さを有している、請求項１に記載のフィルタ要素。
【請求項３】
前記ポリマー被覆は前記フィルタ媒体パックに少なくと９，０００μｉｎ（２２８．６０μｍ）の深さまで浸透する、請求項１に記載のフィルタ要素。
【請求項４】
前記ポリマー被覆は吹付塗装層を備えている、請求項１に記載のフィルタ要素。
【請求項５】
前記ポリマー被覆はロール塗装層である、請求項１に記載のフィルタ要素。
【請求項６】
前記ポリマー被覆は約６０から約９５の間のショアＡデュロメータ硬さを有している、請求項１に記載のフィルタ要素。
【請求項７】
前記被覆は少なくとも２層で構成されている、請求項１に記載のフィルタ要素。
【請求項８】
少なくとも１層はポリウレア材料である、請求項７に記載のフィルタ要素。
【請求項９】
前記ポリマー被覆は、ウレタン、アクリル、エポキシ、シリコン、ポリウレタン、ポリウレア、ポリアスパラギン（ｐｏｌｙａｓｐａｒｔｉｃ）、ポリマー、脂肪族ポリウレア、ポリスチレン、ポリエチレン、エチレンビニルアセテート、ポリエチレンビニルアセテート、エチレンプロピレンジエンモノマー、ポリウレア／ポリウレタンハイブリッド、及びそれらの組合せ、から成る群より選択されており、前記ポリマー被覆は、随意的には、ファイバーグラス、粗化剤、又は他の充填材を含んでいる、請求項１に記載にフィルタ要素。
【請求項１０】
前記フィルタ媒体パックは、フィルタ媒体で構築されていて、複数の層を形成するように巻取型構成又は積重型構成をしている表面シート及びひだ付きシートを備えるひだ付きフィルタ媒体フィルタパックを備えていて、未濾過流体が前記表面シート又は前記ひだ付きシートを通過しなければ前記第１流れ面から前記第２流れ面へ渡ってゆけないようになっている、請求項１に記載のフィルタ要素。
【請求項１１】
前記第１流れ面から前記第２流れ面までのスパンは少なくとも８センチメートルである、請求項１０に記載のフィルタ要素。
【請求項１２】
前記ひだ付きフィルタ媒体フィルタパックは環状形状を有する巻取型パックであり、前記巻取型パックの前縁はパックの半径方向中心にあり、前記巻取型パックの後縁は前記外面に沿っていて段を形成しており、前記ポリマー被覆は前記段を充填し封止していて、前記ポリマー被覆と前記ひだ付きフィルタ媒体フィルタパックの間に前記段に沿って如何なる追加材料も塗布されることなしに前記第１流れ面から前記第２流れ面への未濾過流体漏出を防止している、請求項１０に記載のフィルタ要素。
【請求項１３】
前記フィルタ要素は、フィルタ媒体で構築されていて第１流れ面のプリーツ先端と第２流れ面のプリーツ先端の間を延びる複数のプリーツ斜面を備えているプリーツ付きフィルタ要素であり、流体は前記フィルタ媒体を通過しなければ前記第１流れ面から前記第２流れ面へ渡ってゆけないようになっており、前記ポリマー被覆は、最も前側のプリーツ斜面と最も後側のプリーツ斜面へ塗布されている、請求項１に記載のフィルタ要素。
【請求項１４】
前記ポリマー被覆は、更に、前記最も前側のプリーツ斜面と前記最も後側のプリーツ斜面に対し横断方向に延びている前記プリーツ斜面の縁に沿って塗布されている、請求項１３に記載のフィルタ要素。
【請求項１５】
前記フィルタ媒体パックの前記第１流れ面及び前記第２流れ面は前記ポリマー被覆を不含である、請求項１に記載のフィルタ要素。
【請求項１６】
前記ポリマー被覆は、前記第１流れ面と前記第２流れ面の間の前記外面の表面積の少なくとも２５％に塗布されている、請求項１に記載のフィルタ要素。
【請求項１７】
シールが前記ポリマー被覆へ付着されている、請求項１６に記載のフィルタ要素。
【請求項１８】
前記フィルタ媒体パックは、前記ポリマー被覆が塗布された後は、当該ポリマー被覆が前記媒体パックの拡がりを抑制し４８時間に亘って１００％の湿度に曝されたときの前記外面の周囲の拡張を５％未満に抑えることになるので、保管期間の間中その体積を維持する、請求項１に記載のフィルタ要素。
【請求項１９】
前記フィルタ要素はハウジング封止面を有するボーダーガスケットを更に備え、前記ボーダーガスケットは、前記フィルタ媒体パックを取り囲む関係に前記ポリマー被覆へ固定されている、請求項１に記載のフィルタ要素。
【請求項２０】
前記ボーダーガスケットは、所定位置に成形され、前記ポリマー被覆へ一体に結合されている、請求項１９に記載のフィルタ要素。
【請求項２１】
前記ボーダーガスケットは、前記ポリマー被覆に適合性のある結合材料であってポリウレタンとウレタンとシリコンのうちの少なくとも１つを備えているシール材料から形成されている、請求項２０に記載のフィルタ要素。
【請求項２２】
前記ポリマー被覆は空気及び湿気に対して不透過性である、請求項１に記載のフィルタ要素。
【請求項２３】
フィルタ媒体パックは、以下の性質、即ち、
２オンス／平方ヤード（６７.８１１５ｇ／ｍ２）から４オンス／平方ヤード（１３５．６２３ｇ／ｍ２）の間の坪量、
ＡＳＴＭ  Ｆ７７８−８８（２０１４年）に従って測定した場合に水ゲージ圧０．５インチ（１．２７ｃｍ）にて５ｃｆｍ（０．１４ｍ３／ｍ）から２０ｃｆｍ（０．５７ｍ３／ｍ）の間の空気透過性、及び、
少なくとも１５ＰＳＩのミューレン破裂強さ、
を有するフィルタ媒体、を備えている、請求項１に記載のフィルタ要素。
【請求項２４】
前記フィルタ要素は、ＩＳＯ５０１１試験規格に従って測定した場合のＩＳＯ１２１０３−１  Ａ２微粒試験用ダスト（Ｆｉｎｅ  Ｔｅｓｔ  Ｄｕｓｔ）除去時における少なくとも９９．６％の初期効率を有する空気濾過媒体であり、前記空気濾過媒体は、セルロース又はポリマー又は１ミクロンから２００ミクロンの間の平均直径を有するグラスファイバーのうちの少なくとも１つを含有する層を備えている、請求項１に記載のフィルタ要素。
【請求項２５】
前記フィルタ媒体は前記フィルタ媒体パックの外面を形成している、請求項１に記載のフィルタ要素。
【請求項２６】
前記フィルタ要素は金属製又はプラスチック製予備形成構成部品を不含である、請求項１に記載のフィルタ要素。
【請求項２７】
前記ポリマー被覆は、前記フィルタ媒体パックと、ハウジングガスケットか又は金属製又はプラスチック製予備形成構成部品のうちの少なくとも一方と、の間に完全周囲シールを提供している、請求項１に記載のフィルタ要素。
【請求項２８】
前記フィルタ要素は前記フィルタ媒体パックへ付着されている金属製又はプラスチック製予備形成構成部品を更に備えており、前記ポリマー被覆は、前記金属製又はプラスチック製予備形成構成部品の外に面する外部面に重なり合っている、請求項１に記載のフィルタ要素。
【請求項２９】
前記ポリマー被覆は、０．００５インチ（０．１２７ｍｍ）から０．１００インチ（２．５４０ｍｍ）の間の平均厚さを有している、請求項１に記載のフィルタ要素。
【請求項３０】
第１流れ面と第２流れ面の間を延びている外面、を含んでいるフィルタ媒体パックと、
前記フィルタ媒体パックの濾過領域を取り囲む関係に前記外面へ塗布されている層であって、外側把持面を提供するために少なくとも５０μｉｎ（１．２７μｍ）の表面粗さを有している層と、
を備えているフィルタ要素。
【請求項３１】
前記層は、前記フィルタ媒体パックの前記外面へ一体的に結合され前記外面に浸透する材料を備えるポリマー被覆である、請求項３０に記載のフィルタ要素。
【請求項３２】
前記材料は前記フィルタ媒体パックの前記外面に少なくと９，０００μｉｎ（２２８．６０μｍ）の深さまで浸透する、請求項３１に記載のフィルタ要素。
【請求項３３】
前記表面粗さは１０，０００μｉｎ（２５４．００μｍ）までである、請求項３０に記載のフィルタ要素。
【請求項３４】
第１流れ面と第２流れ面の間を延びている外面、を含んでいるフィルタ媒体パックと、
前記フィルタ媒体パックの前記外面へ塗布されていて前記第１流れ面と前記第２流れ面の間のスパンの少なくとも２５％を覆っている層であって、当該外側の層は０．００５インチ（０．１２７ｍｍ）から０．１００インチ（２．５４０ｍｍ）の間の平均厚さを有しており、当該層は、それを介して前記空気フィルタ媒体パックの前記外面へ一体的に結合させる材料である、層と、
を備えているフィルタ要素。
【請求項３５】
液体被覆をフィルタへ塗布する方法であって、
フィルタ媒体パックを提供する段階と、
ポリマー流体を前記フィルタ媒体の外周囲へ成形段階無しに塗布する段階と、
前記ポリマー流体に前記外周囲上にポリマー被覆を形成させる段階と、
を備えている方法。
【請求項３６】
前記塗布する段階は、前記フィルタ媒体パックから或る距離だけ離間された吹付機を使用して遂行される、請求項３５に記載の方法。
【請求項３７】
前記媒体パックを静止させておいて当該媒体パックの周りを前記吹付機が回る、請求項３６に記載の方法。
【請求項３８】
前記吹付機を静止させておいて前記媒体パックが当該吹付機の前方で回転する、請求項３６に記載の方法。
【請求項３９】
前記吹付機と前記媒体パックの間の前記距離は前記塗布する段階の間に変化する、請求項３６に記載の方法。
【請求項４０】
前記塗布する段階はローラーを使用して遂行される、請求項３５に記載の方法。
【請求項４１】
ポリマー流体を塗布している間は前記フィルタ媒体パックの第１流れ面を封鎖してポリマー流体が前記第１流れ面へ塗布されるのを防ぐようにする段階、を更に備えている請求項３６に記載の方法。
【請求項４２】
前記第１流れ面とは正反対の側の第２流れ面は前記ポリマー流体を塗布する段階の間は封鎖されない、請求項４１に記載の方法。
【請求項４３】
前記第２流れ面の塗装を防ぐために前記吹付機は前記フィルタ媒体パックに対して角度を付けられている、請求項４２に記載の方法。
【請求項４４】
前記フィルタ媒体パックは、プリーツ斜面それぞれが軸に平行である複数のプリーツ斜面を有するプリーツ付きエンボス加工フィルタ媒体パックであり、前記吹付機は前記軸に対して１０５°から１５０°の間の角度に向き付けられている、請求項３６に記載の方法。
【請求項４５】
前記吹付機は更に重力に関して下向きに角度を付けられている、請求項４４に記載の方法。
【請求項４６】
被覆をフィルタ要素へ塗布するためのシステムであって、前記システムは、
フィルタ媒体パックの底面より小さい第１のサイズの基部を有する台座と、
前記台座に関して下向きに角度を付けられていて前記台座から或る距離だけ離間されている吹付機であって、被覆を前記フィルタ媒体パックへ塗布するように構成されている吹付機と、
前記フィルタ媒体パックの最上面と少なくとも同じサイズである第２のサイズを有している板と、
を備えているシステム。
【請求項４７】
前記台座は前記吹付機の前方で回転する、請求項４６に記載のシステム。
【請求項４８】
前記吹付機は前記台座の周りを回る、請求項４６に記載のシステム。
【請求項４９】
前記吹付機と前記台座の間の前記距離は前記被覆の塗布中に変わる、請求項４６に記載のシステム。
【請求項５０】
第１流れ面と第２流れ面の間を延びている外面、を含んでいるフィルタ媒体パックと、
前記フィルタ媒体パックの前記外面に塗布されているポリマー被覆と、
前記ポリマー被覆の周りに延びているフレームと、
前記フレームと前記ポリマー被覆材料の間の可撓性封止材料であって、前記フレームを前記ポリマー被覆に対して封止する可撓性封止材料と、
前記ポリマー被覆と前記フレームの間の結合材料であって、前記フレームを前記ポリマー被覆へ固定する結合材料と、
を備えているフィルタ要素。
【請求項５１】
前記可撓性封止材料は前記ポリマー被覆にしか固定されていない、請求項５０に記載のフィルタ要素。
【請求項５２】
前記可撓性封止材料は、前記ポリマー被覆へ接着剤によって固定される予備形成発泡体である、請求項５１に記載のフィルタ要素。
【請求項５３】
前記可撓性封止材料は、前記ポリマー被覆へ接着固定されている半径方向内方面と、前記半径方向内方面とは反対側の半径方向外方面であって前記フレームの半径方向内方を向いている面に対して半径方向に押し付けられている半径方向外方面と、を有している、請求項５１に記載のフィルタ要素。
【請求項５４】
前記半径方向外方面は前記フレームの前記半径方向内方面へ接着固定されていない、請求項５３に記載のフィルタ要素。
【請求項５５】
前記可撓性封止材料は前記フレームを前記ポリマー被覆へ固定していない、請求項５１に記載のフィルタ要素。
【請求項５６】
前記フレームは、前記可撓性封止材料を前記ポリマー材料との間に配した状態で前記ポリマー被覆に隣接して位置決めされている半径方向内方に延びる突起を含んでおり、
前記可撓性封止材料は前記ポリマー被覆と前記突起の間に形成される何らかのギャップからの前記結合材料の漏れを防止する、請求項５０に記載のフィルタ要素。
【請求項５７】
前記フレームと前記ポリマー被覆は、それらの間に、前記突起及び前記可撓性封止材料からオフセットしているチャネルを画定しており、前記チャネルは前記結合材料を収容している、請求項５６に記載のフィルタ要素。
【請求項５８】
前記結合材料はハウジング封止面を形成している、請求項５０に記載のフィルタ要素。
【請求項５９】
前記フレームは前記可撓性封止材料を少なくとも５％圧縮している、請求項５０に記載のフィルタ要素。
【請求項６０】
フィルタ要素を形成する方法であって、
外側ポリマー被覆を外面に塗布されているフィルタ媒体パックを提供する段階と、
可撓性封止材料を前記ポリマー被覆に付着する段階と、
前記可撓性封止材料を前記ポリマー被覆に付着する前記段階の後に、フレームを前記ポリマー被覆の周りに配置して、前記可撓性封止材料が前記ポリマー被覆と前記フレームの少なくとも一部分との間にそれらと接触して半径方向に位置決めされた状態にする段階と、
前記フレームの一部分と前記ポリマー被覆の間に半径方向に配置させた結合材料を用いて前記フレームを前記フィルタ要素へ固定する段階と、
を備えている方法。
【請求項６１】
前記可撓性封止材料は前記フレームを前記ポリマー被覆へ固定しない、請求項６０に記載のフィルタ要素を形成する方法。
【請求項６２】
前記可撓性封止材料は、前記ポリマー被覆へ接着固定される予備形成発泡体である、請求項６０に記載のフィルタ要素を形成する方法。
【請求項６３】
前記フレームを配置する段階は、前記可撓性封止材料を過ぎるように前記フレームを滑らす段階であって、前記可撓性封止材料を圧縮し次いで圧縮解除することを含む段階、を含んでいる、請求項６２に記載のフィルタ要素を形成する方法。
【請求項６４】
前記可撓性封止材料は、前記フレームを前記ポリマー被覆の周りに配置する段階の後は圧縮状態にある、請求項６０に記載のフィルタ要素を形成する方法。
【請求項６５】
前記可撓性封止材料は、前記フレームを前記ポリマー被覆の周りに配置する段階の後は少なくとも５％圧縮されてしまっている、請求項６４に記載の方法。
【請求項６６】
前記フレームを前記フィルタ要素へ前記結合材料を用いて固定する段階は、前記結合材料の一部分からハウジング封止面を形成する段階を含んでいる、請求項６０に記載のフィルタ要素を形成する方法。
【発明の詳細な説明】
【技術分野】
【０００１】
[0001]本発明は、概括的にはフィルタに関し、より厳密にはフィルタ媒体パックの外部面の被覆に関する。
【背景技術】
【０００２】
[0002]フィルタ媒体パックは、フィルタ媒体のブロックの審美性を高め尚且つ取り扱い中のフィルタ媒体を保護するために、布又は紙で包まれている場合が多い。従来、紙ラップといえば重いカードストックであり、布ラップといえばポリエステル不織布である。これらのラップはフィルタ媒体パックのための多少の補強を提供しはするが、取り扱い中又は設置中に落とされたり引掻かれたりした場合にフィルタ媒体に穴が開かないように保護するわけではない。加えて、これらのラップは、シール部材又は取り付けフレームの様な付着構造のための強固な結合面を提供しておらず、付着された構造が簡単に剥ぎ取られるのを許してしまう。また、これらのラップは、フィルタ媒体へ結着し辛く、フィルタ媒体パックの周りに漏出経路を生じさせてしまうことも往々にしてある。
【０００３】
[0003]一部の事例では、フィルタ媒体は、Ｓｃｈｒａｇｅらへの米国特許第７，３９６，３７６号に論じられているように被覆されてもいないし覆われてもいない。また一方で、Ｗｙｄｅｖｅｎへの米国特許第４，４１０，４２７号及び同じくＷｙｄｅｖｅｎへの米国特許第６，７４３，３１７号、Ｇｉｌｌｉｎｇｈａｍらへの米国特許第５，８２０，６４６号、及び有限会社土屋製作所への日本実用新案特許第Ｓ６０−１５５９２１号によって立証されるように、外皮又は保護層も提案されている。加えて、その様な層のための成形技法がＳｃｈｒａｇｅらへの米国特許第７，９６７，８８６号に提案されているが、この提案は実質的な空間と複雑で高価な成形工具及び成形作業を必要とする。Ｏｓｔｅｒｆｅｌｄによる米国公開第２０１４／０２１７００９号やＢｏｌｓｅｒらへの米国特許第６，０８０，３１０号を含め、他の耐滑り性で肌理のある表面層も提案されている。
【０００４】
[0004]当技術でこれまで実現されていないフィルタ媒体パックの耐久性、取り扱い、及び漏出防止における様々な改善は、以下に提示されている本発明の異なる態様又は異なる実施形態によって実現させることができ、かくして最先端技術におけるその様な短所が論証される。
【先行技術文献】
【特許文献】
【０００５】
【特許文献１】米国特許第７，３９６，３７６号
【特許文献２】米国特許第４，４１０，４２７号
【特許文献３】米国特許第６，７４３，３１７号
【特許文献４】米国特許第５，８２０，６４６号
【特許文献５】日本実用新案特許第Ｓ６０−１５５９２１号
【特許文献６】米国特許第７，９６７，８８６号
【特許文献７】米国公開第２０１４／０２１７００９号
【特許文献８】米国特許第６，０８０，３１０号
【発明の概要】
【０００６】
[0005]以下の発明の概要という次の別の段落の中で論じられている進歩的な態様及び実施形態は独立に使用されてもよいし又は互いと組み合わせて使用されてもよい。
[0006]１つの態様では、フィルタ要素の実施形態が提供されている。フィルタ要素は、外面を有するフィルタ媒体パックを含んでいる。外面は第１流れ面と第２流れ面の間を延びている。フィルタ媒体パックの外面にはポリマー被覆が塗布されており、ポリマー被覆は成形構造物ではない。
【０００７】
[0007]別の態様は、少なくとも５０μｉｎ（１．２７μｍ）の表面粗さを有することのできるポリマー被覆に向けられている。好適な実施形態では、表面粗さは、約１００μｉｎ（２．５４μｍ）から約１０，０００μｉｎ（２５４．００μｍ）の間である。
【０００８】
[0008]ポリマー被覆は、フィルタ媒体パックに少なくとも９，０００μｉｎ（２２８．６０μｍ）の深さまで浸透するのが望ましい。
[0009]好適な実施形態では、ポリマー被覆は吹付塗装層とすることができる。吹き付けには幾つかの利点がある。
【０００９】
[0010]他の実施形態では、ポリマー被覆はロール塗装層とすることができる。
[0011]取り扱い中のフィルタ要素の保護を増強するためには、ポリマー被覆は、約６０から約９５の間のショアＡデュロメータ硬さを有しているのが望ましい。従って、取り扱いを誤った場合に簡単に穴が開いたりつぶれたりする従来の不織ラップ又は紙ラップに比べてポリマー被覆はより硬い。
【００１０】
[0012]ポリマー被覆は、少なくとも２層というように１層より多い層を含むことができる。少なくとも１層はポリウレアであるのが望ましい。
[0013]様々な実施形態では、ポリマー被覆は、ウレタン、アクリル、エポキシ、シリコン、ポリウレタン、ポリウレア、ポリアスパラギン（ｐｏｌｙａｓｐａｒｔｉｃ）、脂肪族ポリウレア、ポリスチレン、ポリエチレン、エチレンビニルアセテート、ポリエチレンビニルアセテート、エチレンプロピレンジエンモノマー、ポリウレア／ポリウレタンハイブリッド、及びそれらの組合せ、から成る群より選択される。加えて、ポリマー被覆は、随意的には、ファイバーグラス、粗化剤、又は他の充填材を含むことができる。
【００１１】
[0014]ポリマー被覆は、様々なフィルタ要素型式に適用することができる。１つの実施形態では、フィルタ媒体パックは、巻取型構成又は積重型構成の表面シート及びひだ付きシートを有するひだ付きフィルタ媒体フィルタパックを含むフィルタ媒体で構築されている。未濾過流体は表面シート又はひだ付きシートを通過して第１流れ面から第２流れ面へ渡ってゆく。好適な実施形態では、第１流れ面から第２流れ面までのスパンは少なくとも８センチメートルである。
【００１２】
[0015]加えて、ひだ付きフィルタ媒体フィルタパックは環状形状を有する巻取型パックとすることができる。巻取型パックの前縁はパックの中心に位置しており、巻取型パックの後縁は外面に沿って終端していて、外面上に段を形成している。ポリマー被覆は段を充填し封止していて、未濾過流体が第１流れ面から第２流れ面へ漏れないようにしている。望ましくも、ポリマー被覆とひだ付きフィルタ媒体フィルタパックの間には段に沿って追加材料は何も塗布されていない。
【００１３】
[0016]別の実施形態では、フィルタ要素は、第１流れ面のプリーツ先端と第２流れ面のプリーツ先端の間を延びている複数のプリーツ斜面を有するフィルタ媒体で構築されたプリーツ付きフィルタ要素である。フィルタ要素は、未濾過流体がフィルタ媒体を通過しなければ第１流れ面から第２流れ面へ渡ってゆけないようなやり方で構成されている。ポリマー被覆は、最も前側のプリーツ斜面及び最も後側のプリーツ斜面へ塗布されており、随意的には、最も前側のプリーツ斜面と最も後側のプリーツ斜面に対し横断方向に延びているプリーツ斜面の縁に沿って塗布される。
【００１４】
[0017]最大空気スループットを提供するためには、フィルタ媒体パックの第１流れ面及び第２流れ面はポリマー被覆を不含であるのが望ましい。
[0018]フィルタ要素のポリマー被覆は、フィルタ媒体パックの外面の様々な量を覆うことができる。ポリマー被覆は、第１流れ面と第２流れ面の間の外面の表面積の少なくとも２５％に塗布されているのが望ましい。
【００１５】
[0019]ポリマー被覆の１つの利点は、確実にフィルタ要素が保管中にその寸法を維持するようにポリマー被覆が支援することである。したがって、或る実施形態では、フィルタ媒体パックは、ポリマー被覆が塗布された後は、当該ポリマー被覆が媒体パックの拡がりを抑制し４８時間に亘って１００％の湿度に曝されたときの外面の周囲の拡張を５％未満に抑えることになるので、保管期間の間中その体積を維持する。
【００１６】
[0020]ポリマー被覆の寸法安定化能力をなお一層高めるためには、ポリマー被覆が空気及び湿気に対して不透過性であるのが望ましい。
[0021]特定の実施形態では、フィルタ要素は、更に、ハウジング封止面を有するボーダーガスケットを含んでいる。ボーダーガスケットは、フィルタ媒体パックを取り囲む関係にポリマー被覆へ固定される。
【００１７】
[0022]また、ボーダーガスケットは、所定位置に成形されてもよいし、又はボーダーガスケットのシール材料を通じてポリマー被覆へ一体に結合されてもよい。
[0023]その様な場合は、シール材料はポリマー被覆に適合性のある結合材料であるのが望ましい。実施形態では、シール材料は、ポリウレタンとウレタンとシリコンのうちの少なくとも１つとすることができる。
【００１８】
[0024]上述のように、ポリマー被覆は様々なフィルタ要素型式と共に使用することができる。概して、フィルタ要素は、以下の性質、即ち、２オンス／平方ヤード（６７.８１１５ｇ／ｍ２）から４オンス／平方ヤード（１３５．６２３ｇ／ｍ２）の間の坪量、ＡＳＴＭ  Ｆ７７８−８８（２０１４年）に従って測定した場合に水ゲージ圧０．５インチ（１．２７ｃｍ）にて５ｃｆｍ（立方フィート毎分）（０．１４ｍ３／ｍ）から２０ｃｆｍ（０．５７ｍ３／ｍ）の間の空気透過性、及び少なくとも１５ＰＳＩのミューレン破裂強さ、を有するフィルタ媒体を備えるフィルタ媒体パックを含むということになる。
【００１９】
[0025]加えて、フィルタ要素は、ＩＳＯ５０１１に従って測定した場合のＩＳＯ１２１０３−１  Ａ２微粒試験用ダスト（Ｆｉｎｅ  Ｔｅｓｔ  Ｄｕｓｔ）除去時における少なくとも９９．６％の空気濾過初期効率を有するフィルタ媒体を備えるフィルタ媒体パックを含むことができる。また、フィルタ媒体は、セルロース又はポリマー又は１ミクロンから２００ミクロンの間の平均直径を有するグラスファイバーのうちの少なくとも１つを含有する層を含んでいるのが望ましい。
【００２０】
[0026]特定の実施形態では、フィルタ媒体パックのフィルタ媒体は、フィルタ媒体がポリマー被覆と接触するようにしてフィルタ媒体パックの外面を形成している。
[0027]焼却可能性を提供するために、フィルタ要素は金属製又はプラスチック製予備形成構成部品を不含とすることができる。
【００２１】
[0028]また一方、他の実施形態では、ポリマー被覆は、フィルタ媒体パックと、ハウジングガスケットか又は金属製又はプラスチック製予備形成構成部品のうちの少なくとも一方と、の間に完全周囲シールを提供している。
【００２２】
[0029]また、ポリマー被覆は、金属製又はプラスチック製予備形成構成部品の最も外側の外部面に重なり合うことができる。
[0030]ポリマー被覆は、０．００５インチ（０．１２７ｍｍ）から０．１００インチ（２．５４０ｍｍ）の間の平均厚さを有しているのが望ましい。
【００２３】
[0031]別の態様では、強化された把持面を有するフィルタ要素の実施形態が提供されている。フィルタ要素は、外面を有するフィルタ媒体パックを含んでいる。外面は第１流れ面と第２流れ面の間を延びている。外面にはフィルタ媒体パックの濾過領域を取り囲む関係に層が塗布されている。層は外側把持面を提供するために少なくとも１００μｉｎ（２．５４μｍ）の表面粗さを有している。
【００２４】
[0032]或る好適な実施形態では、層は、空気フィルタ媒体パックの外面へ一体的に結合され外面に浸透するポリマー被覆である。
[0033]更に別の態様では、フィルタ要素は、第１流れ面と第２流れ面の間を延びている外面、を含んでいるフィルタ媒体パックと、フィルタ媒体パックの外面へ塗布されていて第１流れ面と第２流れ面の間のスパンの少なくとも２５％を覆っている層であって、外側の層は０．００５インチ（０．１２７ｍｍ）から０．１００インチ（２．５４０ｍｍ）の間の平均厚さを有している、層と、を備えており、当該層は、それを介して空気フィルタ媒体パックの外面へ一体的に結合させる材料である。
【００２５】
[0034]更に別の態様では、液体被覆をフィルタ要素に塗布する方法が提供されている。第１の段階はフィルタ媒体パックを提供する段階であり、第２の段階は、流体をフィルタ媒体の外周囲へ成形段階無しに塗布して、当該流体に外周囲上にポリマー被覆を形成させる段階である。
【００２６】
[0035]或る実施形態では、塗布する段階は、フィルタ媒体パックから或る距離だけ離間された吹付機を使用して遂行される。
[0036]更に、媒体パックを静止させておいて媒体パックの周りを吹付機が回ってもよい。
【００２７】
[0037]また一方、代わりに、吹付機を静止させておいて媒体パックが吹付機の前方で回転するようにしてもよい。
[0038]加えて、吹付機と媒体パックの間の距離は、塗布する段階の間に変化してもよい。
【００２８】
[0039]別の実施形態では、塗布する段階はローラーを使用して遂行される。
[0040]特定の実施形態では、液体被覆をフィルタ要素へ塗布する方法は、更に、ポリマー流体を塗布している間はフィルタ媒体パックの第１流れ面を封鎖してポリマー流体が第１流れ面へ塗布されるのを防ぐようにする段階を含んでいる。
【００２９】
[0041]その様な実施形態では、更に、第１流れ面とは正反対の側の第２流れ面はポリマー流体を塗布する段階の間は封鎖されないことを条件としてもよい。
[0042]但し、第２流れ面の塗装を防ぐために吹付機はフィルタ媒体パックに対して角度を付けられていてもよい。
【００３０】
[0043]フィルタ媒体パックが、複数のプリーツ斜面がそれぞれ軸に平行であるプリーツ付きエンボス加工フィルタ媒体パックである場合、吹付機は軸に対して１０５°から１５０°の間の角度に向き付けられてもよい。
【００３１】
[0044]更には、吹付機は重力に関して下向きに角度を付けられていてもよい。
[0045]更に別の態様では、被覆をフィルタ要素へ塗布するためのシステムが提供されている。システムは、フィルタ媒体パックの底面より小さい第１のサイズの基部を有する台座を含んでいる。システムは、更に、台座に関して下向きに角度を付けられていて台座から或る距離だけ離間されている吹付機を含んでいる。吹付機は被覆をフィルタ媒体パックへ塗布するように構成されている。システムは、更に、フィルタ媒体パックの最上面と少なくとも同じサイズである第２のサイズを有する板を含んでいる。
【００３２】
[0046]システムの或る実施形態では、台座は吹付機の前方で回転する。
[0047]システムの別の実施形態では、吹付機は台座の周りを回る。
[0048]更には、どちらの実施形態でも、吹付機と台座の間の距離は被覆の塗布中に変わってもよい。
【００３３】
[0049]以上に論じられている様々な態様から特定の利点がもたらされる。１つの期待できる利点は、保管中のフィルタ媒体パックの寸法を安定させるポリマー被覆の能力である。
【００３４】
[0050]本発明を通じて実現され得る別の期待できる利点は、従来の不織ラップ及び紙ラップに比較して、ポリマー被覆のハーネスは出荷中及び／又は取り扱い中のフィルタ媒体パックの穴開き及びつぶれ耐性を改善するということである。
【００３５】
[0051]本発明を通じて実現され得る更に別の期待できる利点は、ポリマー被覆がフィルタ媒体パックに浸透し、ガスケットのための結合面を提供することで、フィルタ媒体パックとガスケットシールの間の漏出経路が実質的に回避されることである。
【００３６】
[0052]発明の他の態様、目的、及び利点は、次に続く詳細な説明が添付図面と関連付けて考察されれば、より明白になるであろう。
[0053]明細書に組み入れられていてその一部を形成している添付図面は、本発明の幾つかの態様を描いており、説明と併せて発明の原理を解説する役目を果たす。
【図面の簡単な説明】
【００３７】
【図１】[0054]或る例示としての実施形態による積重型ひだ付き媒体を有するフィルタ要素の等角投影図を描いている。
【図２】[0055]図１に描かれているフィルタ要素の部分断面図を描いている。
【図３Ａ】[0056]図２に示されているポリマー被覆の詳細図を描いている。
【図３Ｂ】[0057]２層を有するポリマー被覆の或る実施形態の詳細図を描いている。
【図４】[0058]図１に示されているフィルタ要素に使用することのできる積重型フィルタ媒体パックを描いている。
【図５】[0059]ボーダーガスケットを有する図４の積重型フィルタ媒体パックを描いている。
【図６】[0060]フレームを有する図４の積重型フィルタ媒体パックを描いている。
【図７】[0061]図６のフレームを有する積重型フィルタ媒体パックの部分断面図を描いている。
【図８】[0062]シール材料を充填された図６のフレームを有する積重型フィルタ媒体パックの断面図を描いている。
【図９】[0063]積重型ひだ付きフィルタ媒体を有するフィルタ要素の第２の実施形態の等角投影図を描いている。
【図１０】[0064]図９に示されている実施形態に使用することのできる、フレームを有する積重型ひだ付きフィルタ媒体を描いている。
【図１１】[0065]ポリマー被覆を有する図１０のフィルタ媒体パック及びフレームの部分断面図を描いている。
【図１２】[0066]ポリマー被覆を有する図１１のフィルタ媒体パックの等角投影図を描いている。
【図１３】[0067]フレームに塗布されたシール材料を有する図１２のフィルタ媒体パックの部分断面図を描いている。
【図１４】[0068]図９に描かれているフィルタ要素の下面の等角投影図を描いている。
【図１５Ａ】[0069]環状形状を有するひだ付きフィルタ要素の代わりの実施形態の等角投影図を描いている。
【図１５Ｂ】[0070]ボーダーガスケットを付けた図１５Ａのフィルタ要素の等角投影図を描いている。
【図１５Ｃ】[0071]更に中間取付フレームを付けた図１５Ｂのフィルタ要素の等角投影図を描いている。
【図１５Ｄ】[0072]フレームだけを付けた図１５Ａのフィルタ要素の等角投影図を描いている。
【図１５Ｅ】[0073]図１５Ｂのフィルタ要素の部分断面図を描いており、更に接着剤補強構造を描いている。
【図１５Ｆ】[0074]図１５Ｃのフィルタ要素の断面図を描いている。
【図１５Ｇ】[0075]フィルタハウジングの中へ挿入された状態の図１５Ｃのフィルタ要素の断面図を描いている。
【図１６Ａ】[0076]プリーツ付きフィルタ媒体を有するフィルタ要素の或る代わりの実施形態を描いている。
【図１６Ｂ】[0076]図１６Ａと共に、プリーツ付きフィルタ媒体を有するフィルタ要素の代わりの実施形態を描いている。
【図１７】[0077]矩形エンボス加工プリーツ付きフィルタ媒体パックの或る実施形態の等角投影図を描いている。
【図１８】[0078]図１７のフィルタ媒体パックのフィルタ媒体の表現を描いている。
【図１９】[0079]図１８のフィルタ媒体の表現が図１７のフィルタ媒体パックを形成するように折られたところを描いている。
【図２０】[0080]ポリマー被覆を塗装された状態の図１７のフィルタ媒体パックの等角投影図を描いている。
【図２１】[0081]別の代わりの実施形態である円筒形エンボス加工プリーツ付きフィルタ媒体パックの等角投影図を描いている。
【図２２】[0082]図２１のフィルタ媒体パックのフィルタ媒体の表現を描いている。
【図２３】[0083]ポリマー被覆を塗装された状態の図２１のフィルタ媒体パックの等角投影図を描いている。
【図２４】[0084]ポリマー被覆をひだ付きフィルタ媒体へ塗布するためのシステムの或る実施形態の等角投影図を描いている。
【図２５】[0084]図２４と共に、ポリマー被覆をひだ付きフィルタ媒体へ塗布するためのシステムの実施形態の等角投影図を描いている。
【図２６】[0085]別の例示としての実施形態による、可撓性封止材料としての接着剤発泡体ガスケットを有する巻取型フィルタ要素の等角投影断面図を描いている。
【図２７Ａ】[0086]フレームが配置された状態の図２６の巻取型フィルタ要素の部分断面図を描いている。
【図２７Ｂ】[0086]図２７Ａと同じく、フレームが配置された状態の図２６の巻取型フィルタ要素の部分断面図を描いている。
【図２８】[0087]結合材料がフレームによって形成されているチャネルを充填した状態の図２７の巻取型フィルタ要素の部分断面図を描いている。
【発明を実施するための形態】
【００３８】
[0088]発明を特定の好適な実施形態に関連付けて説明してゆくが、発明をそれらの実施形態に限定しようとの意図はない。それどころか、付随の特許請求の範囲によって定義されている発明の精神及び範囲内に含まれる全ての代替物、修正物、及び等価物を網羅することを意図している。
【００３９】
[0089]図１は１つの実施形態によるフィルタ要素１０を描いている。フィルタ要素１０は、外面１４（図２に示す）を有するフィルタ媒体パック１２を含んでいる。外面１４は第１流れ面１６と第２流れ面１８の間を延びている。媒体パック１２の外面１４は少なくとも部分的にポリマー被覆２０で覆われている。好都合にも、ポリマー被覆２０は成形構造物ではなく、従って、各種サイズに合わせて作ったり維持したりするのに費用の掛かる成形工具を必要としない。代わりに、好適な実施形態では、ポリマー被覆２０は、直接的にフィルタ媒体パック１２の外面１４へ、固体の被覆又は層へ硬化又は固化する液体又は他の流動性／流体材料として塗布される。
【００４０】
[0090]フィルタ媒体パック１２は、流体流から微粒子を除去するためのフィルタ媒体を含んでいる。一部の事例では、フィルタ媒体はフィルタ媒体パック１２の外面１４を形成している。加えて、フィルタ要素１０は、金属製又はプラスチック製予備形成構成部品を不含とするようなやり方で形成することができる。金属を含んでいない各種のフィルタ要素は概して焼却処分することができる。とはいえ、フィルタ要素の実施形態は金属製又はプラスチック製予備形成構成部品を含んでいてもよい。
【００４１】
[0091]ポリマー被覆２０をフィルタ媒体パック１２の外面１４へ塗布するには様々な手段を採用することができる。例えば、ポリマー被覆２０は外面１４の上へロール塗装されてもよい。好適な実施形態では、ポリマー被覆２０は外面１４上へ吹き付けられる。
【００４２】
[0092]ポリマー被覆２０は、外面１４全体を覆っていてもよいし又は外面１４の一部分のみを覆っていてもよい（例えば図４参照）。或る好適な実施形態では、ポリマー被覆２０は、第１流れ面１６と第２流れ面１８の間を延びる外面１４の少なくとも２５％に塗布されている。或る好適な実施形態では、ポリマー被覆２０は、第１流れ面１６と第２流れ面１８の間を延びる外面１４の少なくとも５０％に塗布されている。或る最も好適な実施形態では、ポリマー被覆２０は、第１流れ面１６と第２流れ面１８の間を延びる外面１４の少なくとも９５％に塗布されている。
【００４３】
[0093]加えて、一部の実施形態では、ポリマー被覆２０は第１流れ面１６及び／又は第２流れ面１８の一部分を覆うように外面１４を過ぎて延びることもできる。他の実施形態では、フィルタ媒体パック１２の第１流れ面１６及び第２流れ面１８は、それらを通る最大流体流量を提供するためにポリマー被覆２０を不含である。
【００４４】
[0094]図２は、図１のフィルタ実施形態の部分断面図を示している。図２に示されているように、ポリマー被覆２０はフィルタ要素１０の全体サイズに対比すると相対的に薄い。ポリマー被覆２０は０．００５インチ（０．１２７ｍｍ）から０．１００インチ（２．５４０ｍｍ）の間の平均厚さを有している。ポリマー被覆２０は０．０２０インチ（０．５０８ｍｍ）から０．０５０インチ（１．２７０ｍｍ）の間の平均厚さを有しているのがより望ましく、またポリマー被覆は０．０３０インチ（０．７６２ｍｍ）から０．０４５インチ（１．１４３ｍｍ）の間の平均厚さを有しているのが最も望ましい。
【００４５】
[0095]ポリマー被覆をフィルタ媒体パック１２へ、液体、流体、又は他の流動性材料として塗布する段階は、ポリマー被覆２０を一部の実施形態ではフィルタ媒体パック１２に浸透させる。ポリマー被覆２０はフィルタ媒体パック１２に９，０００μｉｎ（２２８．６０μｍ）の深さまで浸透するのが望ましい。このやり方では、ポリマー被覆２０はフィルタ媒体パック１２の外面１４へ一体的に結合される。これはポリマー被覆２０がフィルタ媒体の繊維の周りに延び線維と絡み合ってフィルタ媒体パック１２への結合を高められるようにする。
【００４６】
[0096]好適な実施形態では、ポリマー被覆２０は粗面を提供するようなやり方で塗布される。表面粗さは、取り扱い中の把持を改善し、更には全体としてより審美的に好ましい製品を提供する。図３Ａは、図２のポリマー被覆２０の強調された図を描いており、表面粗さを誇張形式で明示している。或る好適な実施形態では、ポリマー被覆２０は、少なくとも５０μｉｎ（マイクロインチ）（１．２７μｍ）の表面粗さを有しており、典型的には表面粗さは約１０，０００μｉｎ（２５４．００μｍ）未満ということになるだろうが、全ての実施形態でその様に限定されるとは限らない。ここでの使用に際し表面粗さとは、表面の谷２４に比較した表面の突起２２の高さ間の平均差をいう。表面粗さは少なくとも１，０００μｉｎ（２５．４０μｍ）であるのがより望ましく、表面長さは少なくとも５，０００μｉｎ（１２７．００μｍ）であるのが最も望ましい。また、表面粗さは９，０００μｉｎ（２２８．６０μｍ）未満であるのがより望ましく、７，０００μｉｎ（１７７．８０μｍ）未満であるのがなおいっそう望ましい。
【００４７】
[0097]ポリマー被覆２０は、フィルタ要素のつぶれ強さ及び破裂強さを改善して出荷中及び／又は取り扱い中の損傷を回避するのが好都合である。或る好適な実施形態では、ポリマー被覆２０は約６０から約９５の間のショアＡデュロメータ硬さを有している。これは、設置中又は取り扱い中に落とされたり引掻かれたりした場合に引き裂かれたり穴が開いたりし易い不織布又は紙で作られている従来式フィルタラップよりも有意に硬い。但し、これは直交方向に多少の可撓性を提供する。これらの従来式ラップの穴開きの結果としての失陥は、フィルタ媒体への損傷を引き起こしフィルタ媒体パックの周りに漏出経路を生じさせる結果となった。
【００４８】
[0098]加えて、ポリマー被覆２０は、半径方向の可撓性を維持しながらフィルタ媒体パック１２のフープ強度を増強する。別の言い方をするなら、ポリマー被覆２０は、フィルタ媒体パック１２が設置中及び／又は取り扱い中によじれた場合にフィルタ媒体に引き裂き又は破れを生じさせかねない剛性で非可撓性の材料ではない。代わりに、ポリマー被覆２０は、設置中及び／又は取り扱い中にフィルタ媒体パック１２と共に撓むことができ、尚且つフィルタ媒体パック１２が湿気吸収又は残留加工応力などのせいで外方へ拡がるのを防止することができる。
【００４９】
[0099]様々な適した材料がポリマー被覆２０として利用できる。その様な材料は、ウレタン、アクリル、エポキシ、シリコン、ポリウレタン、ポリウレア、ポリアスパラギン（ｐｏｌｙａｓｐａｒｔｉｃ）、脂肪族ポリウレア、ポリスチレン、ポリエチレン、エチレンビニルアセテート、ポリエチレンビニルアセテート、エチレンプロピレンジエンモノマー、ポリウレア／ポリウレタンハイブリッド、及びそれらの組合せ、を含む。ポリマー被覆は、更に、随意的には、ファイバーグラス、粗化剤、又は他の充填材を含むことができる。
【００５０】
[0100]或る好適な実施形態では、ポリマー被覆２０はポリウレアである。
[0101]ポリマー被覆は、様々な型式のフィルタ媒体パック１２へ適用することができる。図１及び図９−図１０に描かれている１つの実施形態では、フィルタ媒体パック１２はひだ付きフィルタ媒体で構築されており、具体的にはひだ付きフィルタ媒体を積重させて構築されている。図４に示されているように、１つの実施形態では、ひだ付きフィルタ媒体は、積重型構成の表面シート２６及びひだ付きシート２８を含んでおり、それらシートは、未濾過流体が表面シート２６又はひだ付きシート２８を通過しなければ第１流れ面１６から第２流れ面１８へ渡ってゆけないように例えば第１流れ面１６か又は第２流れ面１８のどちらかに隣接して互いに反対側の端を栓されて入口ひだ及び出口ひだを形成するように積重されている。典型的には、表面シート２６がひだ付きシート２８へ固定されたうえで裁断されて条片が形成されることになる。ひだ付きシート２８へ固定された表面シート２６の区分からなるこれらの条片が次いで積重されてフィルタ媒体パック１２が形成される。代わりに、巻取型フィルタ媒体パック１２を形成する場合には表面シート２６及びひだ付きシート２８は一体に固定されたうえで巻き取られることになる。ひだを閉鎖し流体（例えば空気など）を強制的に媒体を通って流れるように仕向けるためにフィルタ媒体パック１２の層間に接着剤又は他のシーラントが配置される。或る好適な実施形態では、第１流れ面１６から第２流れ面１８までのスパンＳは少なくとも８センチメートルである。
【００５１】
[0102]図４−図８は、フィルタ要素の様々な実施形態を組み立てるための段階を描いている。図４から始めて、積重型フィルタ媒体パック１２が提供される。積重型フィルタ媒体パック１２は、外面１４へ塗布されたポリマー被覆２０を有している。図４は部分的に被覆されたフィルタ媒体パック１２を描いている。但し、以上に指摘されているように、外面１４の被覆は、図５に示されているように、より多く塗装されてもよいし又はより少なく塗装されてもよい。
【００５２】
[0103]図５に示されているように、ひだ付きフィルタ媒体パック１２の第２流れ面１８に近接してボーダーガスケット３０が付着されている。ボーダーガスケット３０はポリマー被覆２０へ接着されるか又は結合される予備成形部品とすることができる。加えて、予備成形ボーダーガスケット３０はフィルタ媒体パック１２を周って引き延ばされるようになっていて、引き延ばされたボーダーガスケット３０の張力の結果としてのボーダーガスケット３０とポリマー被覆２０の間の密な摩擦係合によってボーダーガスケット３０はその場に保持されるようになっていてもよい。また、ボーダーガスケット３０はポリマー被覆２０上へ直接成形されてもよい。
【００５３】
[0104]或る好適な実施形態では、スパンＳに亘るポリマー被覆２０の高さはボーダーガスケット３０の高さより大きい。これは、ポリマー被覆２０のおかげでボーダーガスケット３０への剪断力がフィルタ媒体のより広いスパンに拡散することを確約するうえで助けとなる。ボーダーガスケットがフィルタ媒体パックへ直接的に結合されていた従来式フィルタ媒体パックでは、ボーダーガスケットへの剪断力はより脆弱なフィルタ媒体へ局所化され、そのせいでたびたびフィルタ媒体が失陥したりボーダーガスケットが破断してフィルタ媒体パックから遊離したりしていた。本ポリマー被覆２０では、ボーダーガスケット３０がより良好なシール面又は結合面を提供されるのみならず、ボーダーガスケット３０への剪断力もポリマー被覆２０のおかげでフィルタ媒体パック１２へ局所化される代わりにフィルタ媒体のより広いスパンに亘って拡散される。
【００５４】
[0105]ボーダーガスケット３０はポリマー被覆２０へ直接的に成形されてもよい。その様な実施形態では、ボーダーガスケット３０は所定場所に成形されポリマー被覆２０へ一体的に結合される。その様な事例では、強力な接着部が形成されるようにボーダーガスケットはポリマー被覆２０との適合性のあるものが選択される。適したシール材料は、ポリウレタン、ウレタン、及びシリコンを含む。或る好適な実施形態では、ポリウレタンシール材料がポリウレア被覆２０と共に使用されている。
【００５５】
[0106]一部の実施形態では、ボーダーガスケット３０は、フィルタハウジングを直接的に封止するための封止面を提供することができる（図１５Ｇに代表的に描かれているフィルタハウジング２４３を封止しているボーダーガスケット２３０に類似）。
【００５６】
[0107]図６に示されているように、或る代わりの実施形態では、フィルタ媒体パック１２及びポリマー被覆２０は、代わりに、表面構造３４を含むフレーム３２（図７に示す）へ挿入されてもよいだろう。図７を参照すると、フレーム３２は、更に、フレーム３２の周囲の周りに半径方向外方へ延びている突出リッジ３６を含んでいる。図７は、フレーム３２の中へ挿入されているフィルタ媒体パック１２及びポリマー被覆２０の部分断面図を示している。見て分かるように、フィルタ媒体パック１２は表面構造３４に支えられており、可撓性封止材料３７がフレーム３２の一部分とポリマー被覆２０（外面１４に塗装しフィルタ媒体パック１２に浸透させた）の間の周辺チャネル３８の中へ堆積されている。可撓性封止材料３７はフレーム３２とポリマー被覆２０の間の漏出経路を防止する。次に、フレーム３２をポリマー被覆２０へ固定するため、周辺チャネル３８が図８に示されているように結合材料４０を充填される。代わりの実施形態では、可撓性封止材料３７は、フィルタ媒体パック１２とポリマー被覆２０と可撓性封止材料３７の組立体がフレーム３２の中へ挿入される前にポリマー被覆２０へ付着されてもよい。
【００５７】
[0108]或る好適な実施形態では、結合材料４０はウレタンのような剛性材料である。「剛性」結合材料は、少なくとも８０のショアＡデュロメータを有するシール材料４０である。最後に、図１に示されているように、フィルタハウジングを封止するための外側ガスケット４２が、突出リッジ３６へ成形され、接着され、又はそれ以外のやり方で固定される。
【００５８】
[0109]好都合にも、ポリマー被覆２０は、諸機構をフィルタ要素１０へ付着させることのできる改善された接着面を提供している。図５及び図８に示されているように、ポリマー被覆２０は、ボーダーガスケット３０相手の直接成形又は結合、又はフレーム３２の接着、を受け入れる能力がある。先行技術のラップ、特にポリエステル不織布は、様々な異なる構造物及び／又は結合剤／封止剤との適合性のある表面を提供することはできない。
【００５９】
[0110]図２６−図２８のような一部の実施形態では、可撓性封止材料７３７は、フレーム７３２を配置する段階の前にポリマー被覆７２０へ接着される予備形成低密度発泡体ガスケットである。図２６の等角投影断面図に描かれているように、可撓性封止材料７３７として使用される発泡体ガスケットは、片面に接着剤を塗布されている発泡体テープの形態をしていてもよい。例示としての実施形態では、発泡体テープはポリエステル発泡体又はポリエーテル発泡体とすることができる。加えて、一部の実施形態では接着剤は感圧接着剤である。
【００６０】
[0111]発泡体ガスケットがポリマー被覆へ付着された後、フレーム７３２が図２７Ａ及び図２７Ｂに示されているように発泡体ガスケット可撓性封止材料７３７の上から押圧され、それにより周辺チャネル７３８が形成される。フレーム７３２の内側は、可撓性封止材料７３７に接触し圧縮する突出部７４２の形態をしている段状領域を含んでいる。ポリマー被覆７２０及びフィルタ媒体パック１２はフレーム７３２の形状にぴったり一致しているとは限らないので、可撓性封止材料７３７が、製造時にポリマー被覆７２０とフレーム７３２の間にシールを提供する。例えば、フィルタ媒体パック７１２の形状／寸法の不整合のせいで、突出部７４２とポリマー被覆７２０によって作成されている面との間に半径方向のギャップが起こることになる。そこで、フレーム７３２を可撓性封止材料７３７を覆うように挿入すれば、可撓性封止材料７３７がポリマー被覆７２０の周囲の周りに圧縮され、ギャップがあればギャップを埋める。図２７Ａは、フレーム７３２が可撓性封止材料７３７の上を滑ってそれを圧縮してゆくところを示している。図２７Ｂに示されているように、フレーム７３２は完全に可撓性封止材料７３７を覆って挿入され可撓性封止材料７３７を完全に圧縮している。可撓性封止材料７３７はポリマー被覆７２０の周囲を周って少なくとも５％圧縮しているのが望ましく、可撓性封止材料はポリマー被覆７２０の周囲を周って少なくとも１０％圧縮しているのがより望ましい。また一方で、可撓性封止材料７３７は７５％を超えて圧縮していてもよい。
【００６１】
[0112]上述のように、フレーム７３２を可撓性封止材料７３７を覆って設置することで、ポリマー被覆７２０とフレームスカート７４６の間にチャネル７３８が作り出される。図２８は、結合材料７４０がチャネル７３８を充填していること、そして図２８に描写されているような特定の実施形態ではフレーム７３２より上に延びていること、を示している。結合材料７４０はフレーム７３２をポリマー被覆７２０へ固定する。可撓性封止材料７３７は、結合材料７４０がチャネル７３８の中へ注がれたときに結合材料７４０がフレーム７３２から漏れ出ないことを確約するうえで助けとなる。
【００６２】
[0113]結合材料７４０を適用する場合には金型を使用することもできる。したがって、図２８に示されているように、結合材料７４０は、テーパ領域７４７と軸方向シール面７４８という追加構造を有している。軸方向シール面７４８は、ハウジングを軸方向に封止するためのシールを形成するのに使用することができる。他の実施形態では半径方向シールが画定されてもよいだろう。フレーム７３２は、突起７４２と、スカート７４６と、半径方向に延びているリッジ７３６と、軸方向に延びているフランジ７４９を含んでいて、多段段状プロファイルを形成している。好適な実施形態では、結合材料７４０は、ポリウレタン、ウレタン、又はシリコンで作られているか、或いは他の実施形態（例えば図５、図１５Ｂ、図１５Ｃ、図１５Ｅ、図１５Ｆ、及び図１５Ｇ）に関連して論じられているボーダーガスケット３０のために使用されているものと類似の別の材料で作られている。
【００６３】
[0114]図２６−図２８の実施形態は、フィルタ媒体パック７１２がフィルタ媒体を巻き取り構造７５４の周りに巻き取ることによって形成されている「レーストラック型」フィルタ要素７００を描いているが、他のフィルタ媒体パック構成も使用することができ、中でも特に、積重型ひだ付きフィルタ媒体、他の巻取型フィルタ媒体構成（例えば円形）、及びプリーツ付きが挙げられる。
【００６４】
[0115]図９は、積重型フィルタ媒体パックフィルタ要素１００の或る代わりの実施形態を描いている。図１０−図１４は、図９に示されているフィルタ要素１００を組み立てる方法を描いている。この実施形態では、フィルタ媒体パック１１２及びポリマー被覆１２０は、先の実施形態のフィルタ要素１０のフィルタ媒体パック１２及びポリマー被覆２０と実質的に同様である。この具現化された方法によれば、図１０及び図１１から始めて、積重型フィルタ媒体パック１１２はフレーム１３２の中へ、フレーム１３２の端１３３がフィルタ要素１００の第２流れ面１１８と面一になるように挿入される。
【００６５】
[0116]図１１に示されているように、フレーム１３２は、フィルタ媒体パック１１２の外面１１４との密係合を形成していてフィルタ媒体パック１１２の側壁に対してテーパしているテーパリッジ１４４、を含んでいる。先のフレーム１３２と同じく、この実施形態のフレーム１３２はフィルタ媒体パック１１２とフレーム１３２の間に周辺チャネル１３８を形成しており、フレーム１３２は、フレーム１３２の周囲の周りに延びる突出リッジ１３６の形態をした半径方向外方に延びているフランジを含んでいる。
【００６６】
[0117]この実施形態では、ポリマー被覆１２０はというと、図１１−図１２に描かれているように、フィルタ媒体パック１１２の外面１１４及びフレーム１３２のテーパリッジ１４４の少なくとも一部分へ塗布される。こうしてポリマー被覆はフレーム１３２をフィルタ媒体パック１１２へ固定するのを支援することができる。図１３に示されているように、周辺チャネル１３８にはシール材料１４０が充填される。シール材料１４０は、ウレタン樹脂のような剛性材料であるのが望ましい。テーパリッジ１４４とフィルタ媒体パック１１２の間の密係合は、シール材料１４０の硬化前の漏出を防止するのを支援する。
【００６７】
[0118]図１４に示されているように、ガスケット１４６がフレーム１３２の突出リッジ１３６へ成形され、接着され、又はそれ以外のやり方で固定されて、フィルタ要素１００の構築が完了する。外側ガスケット１４２のように、ガスケット１４６はフィルタ要素１００をフィルタハウジング（図１５Ｇに示されているフィルタハウジング２４３と同様）に対して封止する。
【００６８】
[0119]図１５Ａに描かれているフィルタ要素２００の別の実施形態では、フィルタ媒体パック２１２は、環状形状、具体的にはレーストラック形状、を有している巻取型パックである。とはいえ、楕円、丸、及び異なる面の曲率半径を変化させた形状を含め、他の巻取形状を作成することもでき、巻取型パックは何れかの特定の巻取形状に限定されると解釈されてはならない。フィルタ媒体パック２１２はひだ付きフィルタ媒体の単一シートから形成されているのが望ましい。ひだ付きフィルタ媒体のシートは、表面シートをひだ付きシートへ固定することによって提供されているのが望ましい。但し、フィルタ媒体の他の形態を採用することもできる。フィルタ媒体は、パック２１２の中心２５０に巻取型パック２１２の前縁２４８を有し、外面２１４（図１５Ｅ及び図１５Ｆに示す）に沿って後縁２５２を有している。図１５Ａに描かれているように、前縁２４８は、巻き取りをやり易くしまたフィルタ要素２００の最終形状に影響を及ぼす中央の巻き取り構造２５４へ結合されている。但し、他の実施形態は巻き取り構造２５４を組み入れる必要があるとは限らない。後縁２５２は、最後の巻きの外面２１４に沿った場所で終端していて、フィルタ媒体パック２１２の外面２１４に段２５６を形成している。
【００６９】
[0120]巻取型フィルタ媒体パック２１２が形成されたら、巻取型フィルタ媒体パック２１２を含むフィルタ要素２００は、積重型フィルタ媒体パック２１２を有するフィルタ要素２００と同様に、即ち図４−図８に描かれている段階又は図１０−図１４に描かれている段階に従って、組み立てることができる。先の実施形態と同じく、ポリマー被覆２２０は外面２１４へ塗布される。この事例では、ポリマー被覆２２０は段２５６を充填、封止し、未濾過流体流れ漏出を防止する。望ましくも、ポリマー被覆２２０は、ポリマー被覆２２０とひだ付きフィルタ媒体フィルタパック２１２の間の段２５６に沿って如何なる追加材料も塗布されることなく塗布される。例えば、一部の実施形態では、ポリマー被覆２２０の使用は、接着剤ビードが第１面２１６と第２面２１８の間に延びる後縁２５２に敷かれる必要性を排除する。また、ポリマー被覆２２０は段２５６を隠すことによって改善された審美的外観を提供することができる。
【００７０】
[0121]図１５Ｂに示されているように、ボーダーガスケット２３０をポリマー被覆２２０の端へ接着させ、結合させ、又はそれ以外のやり方で固定させることができる。図１５Ｃに示されているように、フィルタ要素２００は、更に、突出リッジ２３６が少なくともその一部分の周りを延びている取り付けフレーム２３２を特徴とすることができる。フレーム２３２はポリマー被覆へ付着される。図１５Ｃに示されているように、フレームは中間取付型であり、即ちフレーム２３２は第１流れ面２１６と第２流れ面２１８の間の大凡半分ほどのところに位置する。図１５Ｄは、ボーダーガスケット３０が提供されておらずフレーム２３２が第１流れ面２１６付近に取り付けられているフィルタ要素２００を描いている。シールはリッジ２３６に隣接して提供されている。
【００７１】
[0122]図１５Ｅは、接着剤材料を使用して接着剤補強構造２５７を作成することによって第２流れ面２１８が補強されたフィルタ要素２００の部分断面図を描いている。その様な接着剤補強構造２５７は、現出願の所有者に所有されているＰＣＴ／ＵＳ２０１５／０５４７３９（７３９号出願と称する）という整理番号を有する２０１５年１０月８日出願の同時係属国際特許出願に説明されており、同出願を参照することによってその教示をここにそっくりそのまま援用する。接着剤補強構造２５７と上述の外側層であるポリマー被覆２２０の組合せは、フィルタ媒体パック２１２へ改善された安定性と強度を提供する。接着剤補強構造２５７は、フィルタ要素２００の流れ面２１６、２１８の一方又は両方に適用することができる。
【００７２】
[0123]図１５Ｆは、図１５Ｃに示されているフィルタ要素２００の断面図を描いている。図１５Ｇは、フィルタハウジング２４３の中へ挿入されたフィルタ要素２００の断面図を描いている。図１５Ｇを見て分かるように、フレーム２３２の突出リッジ２３６は、フィルタ要素２００をハウジング２４３内で位置決めするようにハウジング２４３の棚領域２４５に接触する。ボーダーガスケット２３０とフィルタハウジング２４３の下部壁領域２４７の間には、フィルタ要素２００の周りに空気バイパスができないようにシールが作成されている。或る好適な実施形態では、空気は第１流れ面２１６を通って第２流れ面２１８へ流れるので、フィルタ要素２００への空気圧が確実にフレーム２３２が棚領域２４５との密接触に留まれるようにする。
【００７３】
[0214]フィルタ要素３００の別の実施形態が図１６Ａに描かれている。図１６Ｂは、第１流れ面３１６のプリーツ先端３６２と第２流れ面３１８のプリーツ先端３６４の間を延びる複数のプリーツ斜面３６０を有するプリーツ付きフィルタ媒体３５８を含んでいるフィルタ媒体パック３１２を描いている。未濾過流体はフィルタ媒体３５８を通って第１流れ面３１６から第２流れ面３１８へ渡ってゆく。フィルタ媒体３５８は、最も前側のプリーツ斜面３６０ａ及び最も後側のプリーツ斜面３６０ｂを有している。図１６Ａに示されているように、最も前側のプリーツ斜面３６０ａ及び最も後側のプリーツ斜面３６０ｂにはポリマー被覆３２０が塗布されている。加えて、ポリマー被覆３２０は、最も前側のプリーツ斜面３６０ａ及び最も後側のプリーツ斜面３６０ｂを横断する方向に延びているプリーツ斜面３６０の縁に沿って塗布されている。
【００７４】
[0125]プリーツ付きエンボス加工フィルタ要素４００の別の実施形態が図１７−図２０に提供されている。図１７は、第１流れ面４１６側のプリーツ先端４６２と第２流れ面４１８側のプリーツ先端４６４の間を延びる複数のプリーツ斜面４６０を含むプリーツ付き媒体４５８を有している矩形フィルタ媒体パック４１２を描いている。図１７に描かれているプリーツ斜面４６０はエンボス加工プリーツ斜面４６６と平坦プリーツ斜面４６８の間で交互している。エンボス加工プリーツ斜面４６６は、斜面全体又は斜面の一部分に沿ってリッジを含むようにプレスされ、成型され、又はそれ以外のやり方で形成されている。プリーツ付き媒体をエンボス加工するシステム及び方法並びにエンボス加工プリーツ付きフィルタ媒体の実施形態は、２０１５年１０月２０日に出願されている「フィルタ媒体パック、製作方法、及びフィルタ媒体プレス（Ｆｉｌｔｅｒ  Ｍｅｄｉａ  Ｐａｃｋｓ，  Ｍｅｔｈｏｄ  ｏｆ  Ｍａｋｉｎｇ  ａｎｄ  Ｆｉｌｔｅｒ  Ｍｅｄｉａ  Ｐｒｅｓｓｅｓ）」という名称の米国仮特許出願第６２／２４３，７４０号に提供されており、同出願を参照することによりその教示をここにそっくりそのまま援用する。図１８は、プリーツ媒体４５８の一部分を、プリーツ４６０を展開した状態で描いている。図１８に示されているように、プリーツ斜面４６０は折線４７０にてエンボス加工プリーツ斜面４６６と平坦プリーツ斜面４６８の間で交互している。折線４７０に沿って折られると、プリーツ付き構造は図１９に代表的に示されている形状をとる。図２０は、ポリマー被覆４２０で被覆された状態のフィルタ媒体パック４１２を描いている。先の実施形態と同じく、ボーダーガスケット又はフレームを、使用者の所望に応じてポリマー被覆４２０へ成形させる、接着させる、結合させる、又はそれ以外のやり方で固定させることができる。
【００７５】
[0126]プリーツ付きエンボス加工フィルタ要素５００の更なる実施形態が図２１−図２３に提供されている。図２１は、第１流れ面５１６側のプリーツ先端５６２と第２流れ面５１８側のプリーツ先端５６４の間を延びる複数のプリーツ斜面５６０を含むプリーツ付き媒体５５８を有している円筒形フィルタ媒体パック５１２を描いている。図２１に描かれているプリーツ斜面４６０はエンボス加工プリーツ斜面５６６と平坦プリーツ斜面５６８の間で交互している。図２２は、プリーツ媒体５５８の一部分を、プリーツ５６０を展開した状態で描いている。図２２を見て分かるように、プリーツ斜面５６０はエンボス加工プリーツ斜面５６６区分と平坦プリーツ斜面５６８区分の間で交互している。これらの区分の間の接点が、プリーツ付き構造を形成させる折線５７０を提供している。フィルタ媒体パック５１２の流れ面５１６、５１８の円形を作成するには、裁ち落とし区分５７２をフィルタ媒体５５８から除去して、プリーツ斜面５６０の幅が最も前側のプリーツ斜面５６０ａでは狭く、プリーツ付きフィルタ媒体５５８の中央では最も広くなり、そして最も後側のプリーツ斜面５６０ｂでは再び狭くなるようにする（例えば図２１を参照）。図２３はポリマー被覆５２０で被覆された状態のフィルタ媒体パック５１２を描いている。先の実施形態と同じく、ボーダーガスケット又はフレームを、使用者の所望に応じでポリマー被覆５２０へ成形させる、接着させる、結合させる、又はそれ以外のやり方で固定させることができる。
【００７６】
[0127]論じられているように、様々なフィルタ要素型式がポリマー被覆２０から恩恵を享受することができる。概して、フィルタ媒体要素のフィルタ媒体パックは、以下の性質、即ち、２オンス／平方ヤード（６７.８１１５ｇ／ｍ２）から４オンス／平方ヤード（１３５．６２３ｇ／ｍ２）の間の坪量、ＡＳＴＭ  Ｆ７７８−８８（２０１４年）に従って測定した場合に水ゲージ圧０．５インチ（１．２７ｃｍ）にて５ｃｆｍ（立方フィート毎分）（０．１４ｍ３／ｍ）から２０ｃｆｍ（０．５７ｍ３／ｍ）の間の空気透過性、及び少なくとも１５ＰＳＩのミューレン破裂強さ、を有するフィルタ媒体、を有するものということになるだろう。
【００７７】
[0128]加えて、フィルタ媒体は空気濾過効率に関して説明することができる。本発明と共に使用される型式の典型的なフィルタ媒体は、ＩＳＯ５０１１試験規格に従って測定した場合のＩＳＯ１２１０３−１  Ａ２微粒試験用ダスト（Ｆｉｎｅ  Ｔｅｓｔ  Ｄｕｓｔ）除去時における少なくとも９９．６％の初期空気濾過効率を有するものということになるだろう。また、空気濾過媒体は、セルロース又はポリマー又は１ミクロンから２００ミクロンの間の平均直径を有するグラスファイバーのうちの少なくとも１つを含有する層を含むことができる。
【００７８】
[0129]以上に論じられているように、ポリマー被覆２０、１２０、２２０、３２０、４２０、５２０、７２０は、フィルタ媒体パック１２、１１２、２１２、３１２、４１２、５１２、７１２へ、様々な塗布道具を使用して塗布することができる。好適な実施形態では、ポリマー被覆２０、１２０、２２０、３２０、４２０、５２０、７２０は、フィルタ媒体パック１２、１１２、２１２、３１２、４１２、５１２、７１２から離間されている吹付機を使用して塗布される。実施形態では、フィルタ媒体パック１２、１１２、２１２、３１２、４１２、５１２、７１２を静止させておいて、フィルタ媒体パックの周りを吹付機が回る。また一方、他の実施形態では、吹付機を静止させておき、フィルタ媒体パック１２、１１２、２１２、３１２、４１２、５１２、７１２が吹付機の前方で回転するようにしてもよい。
【００７９】
[0130]加えて、特定の実施形態では、吹付機と媒体パックの間の距離は、ポリマー被覆２０、１２０、２２０、３２０、４２０、５２０、７２０の塗布中に変化する。吹付機とフィルタ媒体パック１２、１１２、２１２、３１２、４１２、５１２、７１２の間の距離は、吹付機をパックに近づけたり遠ざけたりすることによって又はパックを吹付機に近づけたり遠ざけたりすることによって変更することができる。吹付機とフィルタ媒体パックの間の距離を変えることの１つの益は、先述の表面粗さが作り出されることである。吹付機がフィルタ媒体パック１２、１１２、２１２、３１２、４１２、５１２、７１２から比較的遠くに位置決めされているとき、吹付機からの噴霧ポリマー流体はフィルタ媒体パックに到達する前に小滴を形成し、それら小滴がフィルタ媒体パック１２、１１２、２１２、３１２、４１２、５１２、７１２の外面１４、１１４、２１４、３１４、４１４、５１４、７１４上に既に含まれているポリマー被覆２０、１２０、２２０、３２０、４２０、５２０、７２０にくっつき、又はフィルタ媒体パック１２、１１２、２１２、３１２、４１２、５１２、７１２にくっつき、その後に液体ポリマー被覆２０、１２０、２２０、３２０、４２０、５２０、７２０のより均一な層で覆われる。こうして、硬化したときポリマー被覆２０、１２０、２２０、３２０、４２０、５２０、７２０には改善された把持と審美性のための粗い表面がもたらされる。
【００８０】
[0131]特定の実施形態では、ポリマー被覆２０は少なくとも２回塗装で塗布されており、即ち、フィルタ媒体パック１２の外面１４は１回目にポリマー被覆２０を塗装され、次いで少なくとも２回目にポリマー被覆２０を塗布される。ポリマー被覆２０の材料は各塗装段階で同じであってもよいし、又はポリマー被覆の材料は各塗装段階で異なっていてもよく、そうするとポリマー被覆２０は図３Ｂに代表的に示されているように少なくとも２つの層２０ａ、２０ｂで構成されることになる。図３Ｂは層２０ａと２０ｂの間の明確な境界を示しているが、実際の層間境界は、層２０ａ、２０ｂの接面に変化した又は混合された層領域を現出させていてもよい。複数の異なる層２０ａ、２０ｂを有している実施形態では、少なくとも１層はポリウレアであるのが望ましい。フィルタ要素１０の第１の実施形態のポリマー被覆２０を描いてはいるが、多層塗装は、フィルタ要素１００、２００、３００、４００、５００、７００を含め、フィルタ要素の他の実施形態に適用することもできる。
【００８１】
[0132]図２４及び図２５は、フィルタ媒体パック２１２へ被覆を塗布するための或る例示としてのシステム６００を簡略化形式で描いている。システム６００は、フィルタ媒体パック２１２を載せる台座６０５を含んでいる。台座６０５は、フィルタ媒体パック２１２の第１流れ面２１６とサイズが等しいか又は第１流れ面２１６よりサイズが小さい第１の面積の基部６１０（図２５に示す）を有している。システム６００は、更に、吹付機６２０のような塗布機６１５を含んでいる。吹付機６２０を使用している実施形態では、吹付機６２０は台座６０５及び重力に関して下向きに角度を付けられている。吹付機６２０は更に台座６０５から或る距離だけ離間されている。吹付機６２０のような塗布機６１５はポリマー被覆２２０をフィルタ媒体パック２１２へ塗布するように構成されている。塗布中は、遮断板６２５がフィルタ媒体パック２１２の第２流れ面２１８を覆って設置される。遮断板６２５は、フィルタ媒体パック２１２の第２流れ面２１８の面積及び形状に等しい形状及びサイズを有しているのが望ましい。このやり方では、遮断板６２５は液体ポリマーがフィルタ媒体パック２１２の第２流れ面２１８へ塗布されるのを防ぐ。加えて、吹付機６２０の下向き角度のおかげで、第１流れ面もまた液体ポリマーを塗装されない。
【００８２】
[0133]１つの実施形態では、ポリマー被覆２２０の塗布中、塗布機６１５の前方で台座６０５が回転する。別の実施形態では、塗布機６１５が台座６０５の周りを回る。更に他の実施形態では、塗布機６１５は回転する台座６０５の周りを回ることができる。その様な実施形態では、塗布機６１５は台座６０５の回転方向に逆らって回るのが望ましい。
【００８３】
[0134]加えて、吹付機６２０を使用している実施形態では、吹付機６２０と台座６０５の間の距離はポリマー被覆２２０の塗布中に変わることができる。このやり方では、吹付機６２０は台座６０５に近づいたり遠ざかったりする。これは、把持面を形成するのに使用でき、又は非円形フィルタ媒体パックについては液体ポリマー被覆２２０をより均一に塗布するのに使用できる。
【００８４】
[0135]塗布機システム６００をフィルタ要素２００に関して説明したが、システム６００は、フィルタ要素１０、１００、３００，４００、５００、７００を含め、他のフィルタ実施形態ともうまく機能する。
【００８５】
[0136]プリーツ付きフィルタ要素（エンボス加工プリーツ付きフィルタ要素を含む）３００、４００、５００については、吹付機６２０は、図１６Ｂ、図１７、及び図２１に示されているプリーツ斜面３６０、４６０、５６０に平行な軸Ａに対して角度を付けられているのが望ましい。つまり、吹付機６２０は第１流れ面３１６、４１６、５１６及び第２流れ面３１８、４１８、５１８に平行な面に対して角度を付けられている。軸Ａに関して、吹付機６２０は１０５°から１５０°の間の角度θに向き付けられているのが望ましい。より好適な実施形態では、吹付機６２０は大凡１２０°の角度θに向き付けられている。したがって、吹付機６２０は軸Ａに対して角度を付けらていてもよく、重力に関して下向きに角度を付けられていてもよく、又はその両方であってもよい。これは、隣接するプリーツ斜面３６０、４６０、５６０間に形成されているチャネルへの過剰吹付の量を低減する。また、プリーツ斜面が十分に密接している場合は、ポリマー被覆を使用して隣接するプリーツ斜面３６０、４６０、５６０間のチャネルを閉じるようにすれば、フィルタ媒体パック３１２、４１２、５１２のエンドキャップを有効に作成することができる。
【００８６】
[0137]好都合にも、ポリマー被覆２０、１２０、２２０、３２０、４２０、５２０、７２０を特徴とするフィルタ媒体パック１２、１１２、２１２、３１２、４１２、５１２、７１２は、保管中に自身の形状を保持する能力がより優れている。ポリマー被覆２０、１２０、２２０、３２０、４２０、５２０、７２０は、フィルタ媒体パック１２、１１２、２１２、３１２、４１２、５１２、７１２が周囲の湿気を吸収した結果として及び巻取型フィルタ要素の場合にはコイル応力の結果として拡がるのを抑制する。また、それはフィルタ媒体の隣接する層同士が層間剥離するのを防ぐ。ポリマー被覆２０、１２０、２２０、３２０、４２０、５２０、７２０は、４８時間に亘って湿度１００％に曝されたときに外面周囲の拡張を５％未満に抑える。好適な実施形態では、ポリマー被覆２０、１２０、２２０、３２０、４２０、５２０、７２０は、空気及び湿気に対して不透過性であり、空気及び湿気がポリマー被覆２０、１２０、２２０、３２０、４２０、５２０、７２０を通って浸透し、フィルタ媒体パック１２、１１２、２１２、３１２、４１２、５１２、７１２へ吸収されることがないようにする。
【００８７】
[0138]原文「ａ」、「ａｎ」、及び「ｔｈｅ」の対訳である「一」、「或る」、「当該」という用語、及び本発明を説明する文脈（特に付随の特許請求の範囲の文脈）での同様の指示対照の使用は、ここに別途指示されていない限り又は明らかに文脈と矛盾しない限り、単数及び複数の両方を網羅するものと解釈する。「備える」、「有する」、「含む」、及び「包含する」という用語は、別途指摘のない限り、制限のない用語（即ち「限定するわけではないが○○○を含む」を意味する）であるものと解釈する。ここでの数値の範囲の記載は、ここに別途指示されていない限り当該範囲内に入る１つ１つの値を個別に指す略記法の役目を果たすことを意図したにすぎず、１つ１つの値はそれが個別にここに記載されているかのように明細書へ組み入れられる。ここに説明されている全ての方法は、ここに別途指示されていない限り又は明らかに文脈と矛盾しない限り、何れの適切な順序で遂行されてもよい。ここに提供されているあらゆる例又は例示的用語遣い（例えば、「○○〇のような」）の使用は、発明をより解り易く説明することを意図したにすぎず、別途請求されていない限り本発明の範囲に制限を課すものではない。明細書中の用語遣いは何れも、特許請求の範囲に記載されていない何らかの要素が本発明の実践にとって不可欠であることを示唆している、と解釈されてはならない。
【００８８】
[0139]発明者らにとって既知である本発明を実施するための最良の形態を含む本発明の好適な実施形態がここに説明されている。上記説明が閲読されれば、それらの好適な実施形態の変形型が当業者には自明となるであろう。発明者らは、熟練した技術者が適宜そのような変形型を採用することを想定しており、また発明者らは、発明がここに具体的に説明されている以外のやり方で実践されることを意図している。したがって、本発明は、ここに付随の特許請求の範囲に記載されている主題の修正物及び等価物で適用法令によって許容される全ての修正物及び等価物を含む。更に、上述の要素のその全ての実施可能な変形型における何れかの組合せは、ここに別途指示されていない限り又は明らかに文脈と矛盾しない限り本発明によって網羅される。
【符号の説明】
【００８９】
１０  フィルタ要素
１２  フィルタ媒体パック
１４  外面
１６  第１流れ面
１８  第２流れ面
２０  ポリマー被覆
２０ａ、２０ｂ  ポリマー被覆の層
２２  表面の突起
２４  表面の谷
２６  表面シート
２８  ひだ付きシート
３０  ボーダーガスケット
３２  フレーム
３４  表面構造
３６  突出リッジ
３７  可撓性封止材料
４０  結合材料
４２  外側ガスケット
１００  積重型フィルタ媒体パックフィルタ要素
１１２  フィルタ媒体パック
１１４  外面
１１６  第１流れ面
１１８  第２流れ面
１２０  ポリマー被覆
１３２  フレーム
１３６  突出リッジ
１３８  周辺チャネル
１４０  シール材料
１４２  外側ガスケット
１４４  テーパリッジ
１４６  ガスケット
２００  フィルタ要素
２１２  フィルタ媒体パック
２１４  外面
２１６  第１面
２１８  第２面
２２０  ポリマー被覆
２３０  ボーダーガスケット
２３２  取り付けフレーム
２３６  突出リッジ
２４３  フィルタハウジング
２４５  棚領域
２４７  下部壁領域
２４８  前縁
２５０  中心
２５２  後縁
２５４  巻き取り構造
２５６  段
２５７  接着剤補強構造
３００  フィルタ要素
３１２  フィルタ媒体パック
３１６  第１流れ面
３１８  第２流れ面
３２０  ポリマー被覆
３５８  プリーツ付きフィルタ媒体
３６０  プリーツ斜面
３６０ａ  最も前側のプリーツ斜面
３６０ｂ  最も後側のプリーツ斜面
３６２、３６４  プリーツ先端
４００  プリーツ付きエンボス加工フィルタ要素
４１２  矩形フィルタ媒体パック
４１６  第１流れ面
４１８  第２流れ面
４２０  ポリマー被覆
４５８  プリーツ付き媒体
４６０  プリーツ斜面
４６２、４６４  プリーツ先端
４６６  エンボス加工プリーツ斜面
４６８  平坦プリーツ斜面
４７０  折線
５００  プリーツ付きエンボス加工フィルタ要素
５１２  円筒形フィルタ媒体パック
５１６  第１流れ面
５１８  第２流れ面
５２０  ポリマー被覆
５５８  プリーツ付き媒体
５６０  プリーツ斜面
５６０ａ  最も前側のプリーツ斜面
５６０ｂ  最も後側のプリーツ斜面
５６２、５６４  プリーツ先端
５６６  エンボス加工プリーツ斜面
５６８  平坦プリーツ斜面
５７０  折線
５７２  裁ち落とし区分
６００  塗布機システム
６０５  台座
６１０  基部
６１５  塗布機
６２０  吹付機
６２５  遮断板
７００  フィルタ要素
７１２  フィルタ媒体パック
７２０  ポリマー被覆
７３２  フレーム
７３６  半径方向に延びているリッジ
７３７  可撓性封止材料
７３８  周辺チャネル
７４０  結合材料
７４２  突出部、突起
７４６  フレームスカート
７４７  テーパ領域
７４８  軸方向シール面
７４９  軸方向に延びているフランジ
７５４  巻き取り構造
Ｓ  第１流れ面１６から第２流れ面１８までのスパン
Ａ  流れ面に平行な軸
θ  軸Ａに対する吹付機６２０の角度
【図１】
2019507008.tif 000003
【図２】
2019507008.tif 000004
【図３Ａ】
2019507008.tif 000005
【図３Ｂ】
2019507008.tif 000006
【図４】
2019507008.tif 000007
【図５】
2019507008.tif 000008
【図６】
2019507008.tif 000009
【図７】
2019507008.tif 000010
【図８】
2019507008.tif 000011
【図９】
2019507008.tif 000012
【図１０】
2019507008.tif 000013
【図１１】
2019507008.tif 000014
【図１２】
2019507008.tif 000015
【図１３】
2019507008.tif 000016
【図１４】
2019507008.tif 000017
【図１５Ａ】
2019507008.tif 000018
【図１５Ｂ】
2019507008.tif 000019
【図１５Ｃ】
2019507008.tif 000020
【図１５Ｄ】
2019507008.tif 000021
【図１５Ｅ】
2019507008.tif 000022
【図１５Ｆ】
2019507008.tif 000023
【図１５Ｇ】
2019507008.tif 000024
【図１６Ａ】
2019507008.tif 000025
【図１６Ｂ】
2019507008.tif 000026
【図１７】
2019507008.tif 000027
【図１８】
2019507008.tif 000028
【図１９】
2019507008.tif 000029
【図２０】
2019507008.tif 000030
【図２１】
2019507008.tif 000031
【図２２】
2019507008.tif 000032
【図２３】
2019507008.tif 000033
【図２４】
2019507008.tif 000034
【図２５】
2019507008.tif 000035
【図２６】
2019507008.tif 000036
【図２７Ａ】
2019507008.tif 000037
【図２７Ｂ】
2019507008.tif 000038
【図２８】
2019507008.tif 000039
【国際調査報告】
2019507008.tif 000040
2019507008.tif 000041
2019507008.tif 000042
2019507008.tif 000043
2019507008.tif 000044
2019507008.tif 000045
2019507008.tif 000046
2019507008.tif 000047
2019507008.tif 000048